(57)【要約】【課題】整流板そのものを延長することなく整流領域の確保を図ると共に、整流板に表示板保持用のホルダを簡単に取付け得るようにして、冷蔵室の上部空間を有効利用することができるようにしたオープンショーケースを提供する。【解決手段】冷気吹出口１０と冷蔵室８とを仕切る略鉛直方向に延びる整流板１７の後方に冷蔵室８を照明する照明装置１４を配設するとともに、透明材よりなる前板１９と、後板２０との対向面間に、表示板１５の挟持部２１を形成したホルダ１８を、整流板１７の下部に設ける。【選択図】図５
2007268254.tif 000002
【特許請求の範囲】
【請求項１】
外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気により、エアーカーテンを形成して前記冷蔵室を保冷するようにしたオープンショーケースにおいて、
冷気吹出口と冷蔵室とを仕切る略鉛直方向に延びる整流板の後方に冷蔵室内を照明する照明装置を配設するとともに、透明材よりなる前板と、後板との対向面間に、表示板等の挟持部を形成したホルダを、前記整流板の下部に設けたことを特徴とするオープンショーケース。
【請求項２】
後板を、前板の下端から後上方に折り返して一体形成したものであることを特徴とする請求項１に記載のオープンショーケース。
【請求項３】
後板を、前板の上部から垂下させたものとし、かつ前板と後板のいずれか一方の下端部に、それぞれ後上方もしくは前上方を向く上向折曲部を形成したことを特徴とする請求項１に記載のオープンショーケース。
【請求項４】
後板を、前板との間の隙間が下方に向かって漸次拡開するように垂下させたことを特徴とする請求項３に記載のオープンショーケース。
【請求項５】
前板と、垂下させた後板との対向面の上部に、表示板等の上端部を保持可能な上下方向に長い挟持部を形成したことを特徴とする請求項４に記載のオープンショーケース。
【請求項６】
垂下させた後板の下端を、前板の下端部における後上方を向く上向折曲部に弾性係合させうるようにしたことを特徴とする請求項３乃至５のいずれかに記載のオープンショーケース。
【請求項７】
後板の厚さを、下方に向かって漸次小としたことを特徴とする請求項３乃至６のいずれかに記載のオープンショーケース。
【請求項８】
後板を透光性を有するものとしたことを特徴とする請求項１乃至７のいずれかに記載のオープンショーケース。
【請求項９】
後板を半透明の乳白色としたことを特徴とする請求項８に記載のオープンショーケース。
【請求項１０】
整流板の下端を後上方に折り返して折返片を形成し、該折返片に、前板の上部を前下方に反転屈曲して形成された係止溝を、着脱自在に掛止したことを特徴とする請求項１乃至９のいずれかに記載のオープンショーケース。
【請求項１１】
係止溝を折返片に掛止した状態において、挟持部から上方の前板の上部前面が折返片と面接触するようにしたことを特徴とする請求項１０に記載のオープンショーケース。
【請求項１２】
ホルダを整流板の下部に装着した状態において、整流板と前板との前面が略面一となるようにしたことを特徴とする請求項１乃至１１のいずれかに記載のオープンショーケース。
【請求項１３】
後板の挟持部側の前面を微細な凹凸面としたことを特徴とする請求項１乃至１２のいずれかに記載のオープンショーケース。
【発明の詳細な説明】
【技術分野】
【０００１】
本発明は、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気により、エアーカーテンを形成して前記冷蔵室を保冷するようにしたオープンショーケースに関し、特にプライスカードやＰＯＰカード等の表示板を保持可能なホルダに関する。
【背景技術】
【０００２】
従来、陳列棚が多段に配置されるショーケースの冷気吹出口と庫内天井板との間には、下方に向けて整流板が延設されており、冷気吹出口から吹き出される冷気のエアーカーテンが形成されている。整流板の裏側にはランプが設置され、最上段陳列棚を照射している。この整流板の下端を利用して、シェードが左右の長さ方向で且つ下方に向けて延設されており、ランプの照明を冷蔵庫内に反射して最上段の陳列棚の照度を高めるようにしたものがある（例えば、特許文献１参照）。
【０００３】
【特許文献１】特開２００１−９５６５６号公報（段落００１２−００１４、図１，２）
【発明の開示】
【発明が解決しようとする課題】
【０００４】
しかしながら、特許文献１にあっては、最上段の陳列棚の照度を高めるために整流板の裏側にシェードを設けたもので、整流板そのものは既存のものを使用しているため、整流領域を延長するものではない。整流領域をより長く確保するには整流板を下方まで延ばせばよいが、そのためだけに整流板を延長すると、冷蔵室の上部空間に開放感がなくなり、最上段の陳列棚の商品も見にくい状態になるという難点があった。
また、冷蔵室の前面上部に、プライスカードやＰＯＰカード等の表示板を取り付ける必要が生じた際に、それを保持するホルダ等を、整流板に、着脱可能として簡単に取付けることができず、冷蔵室の上部空間の有効利用ができないという問題もある。
【０００５】
本発明は、このような問題点に着目してなされたもので、整流板そのものを延長することなく整流領域の確保を図ると共に、整流板に表示板保持用のホルダを簡単に取付け得るようにして、冷蔵室の上部空間を有効利用することができるようにしたオープンショーケースを提供することを目的とする。
【課題を解決するための手段】
【０００６】
上記課題を解決するために、本発明の請求項１に記載のオープンショーケースは、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた上方が開口する吸込口に向かって吹き出される冷気により、エアーカーテンを形成して前記冷蔵室を保冷するようにしたオープンショーケースにおいて、冷気吹出口と冷蔵室とを仕切る略鉛直方向に延びる整流板の後方に冷蔵室内を照明する照明装置を配設するとともに、透明材よりなる前板と、後板との対向面間に、表示板等の挟持部を形成したホルダを、前記整流板の下部に設けたことを特徴としている。
この特徴によれば、整流板の下端にホルダを設けたので、ホルダの前板を整流作用の一部として利用することで、整流板そのものの寸法を短寸としても冷気の流れを確実に方向付けでき、かつホルダにおける表示板等の挟持部が前板と後板との二重構造で形成されているので、温度差による結露の発生が生じにくい。また、この挟持部にプライスカードやＰＯＰカード等の表示板が取り付けられた際には、透明材で構成した前板を介して表示板の視認性が阻害されない。
さらに、整流板を利用して、表示板等を保持するホルダを簡単に装着することができるので、冷蔵室の上部空間を有効利用することができる。
【０００７】
本発明の請求項２に記載のオープンショーケースは、請求項１に記載のオープンショーケースであって、後板を、前板の下端から後上方に折り返して一体形成したことを特徴としている。
この特徴によれば、前板と後板とが一体形成されているので、部品点数が少なくなるとともに、表示板等を挟持部に上方から挿入するだけで、挟持部内に下方に脱落するのが防止されて保持される。
【０００８】
本発明の請求項３に記載のオープンショーケースは、請求項１に記載のオープンショーケースであって、後板を、前板の上部から垂下させたものとし、かつ前板と後板のいずれか一方の下端部に、それぞれ後上方もしくは前上方を向く上向折曲部を形成したことを特徴としている。
この特徴によれば、表示板等を、ホルダの下方から挟持部に容易に挿入し得るとともに、挟持部に挿入した表示板等の下端を、前板または後板の下端部の上向折曲部により受支することにより、下方への脱落を防止することができる。
【０００９】
本発明の請求項４に記載のオープンショーケースは、請求項３に記載のオープンショーケースであって、後板を、前板との間の隙間が下方に向かって漸次拡開するように垂下させたことを特徴としている。
この特徴によれば、挟持部への表示板等の下方よりの挿入作業が、より簡単となる。
【００１０】
本発明の請求項５に記載のオープンショーケースは、請求項４に記載のオープンショーケースであって、前板と、垂下させた後板との対向面の上部に、表示板等の上端部を保持可能な上下方向に長い挟持部を形成したことを特徴としている。
この特徴によれば、表示板等の上端部が、上部の挟持部により挟持されるので、表示板が安定してホルダにより保持される。
【００１１】
本発明の請求項６に記載のオープンショーケースは、請求項３乃至５のいずれかに記載のオープンショーケースであって、垂下させた後板の下端を、前板の下端部における後上方を向く上向折曲部に弾性係合させうるようにしたことを特徴としている。
この特徴によれば、挟持部内において、表示板等が前板と後板とにより挟持されるので、表示板がホルダに、より安定して保持される。
【００１２】
本発明の請求項７に記載のオープンショーケースは、請求項３乃至６のいずれかに記載のオープンショーケースであって、後板の厚さを、下方に向かって漸次小としたことを特徴としている。
この特徴によれば、後板の下部が前後方向に撓み易くなるので、その下端を前板の下端部の折曲部に容易に弾性係合させることができる。
【００１３】
本発明の請求項８に記載のオープンショーケースは、請求項１乃至７のいずれかに記載のオープンショーケースであって、後板を透光性を有するものとしたことを特徴としている。
この特徴によれば、ホルダの挟持部に何も取り付けない場合であっても、前板の透明材と後板の透光性によって、ホルダの存在が目障りにならない。
【００１４】
本発明の請求項９に記載のオープンショーケースは、請求項８に記載のオープンショーケースであって、後板を半透明の乳白色としたことを特徴としている。
この特徴によれば、後板を半透明な乳白色としたことでホルダの位置を目立つことなく視認できるので、プライスカードやＰＯＰカード等の表示板を挟持部に取り付ける操作が容易に行えるとともに、整流板後方の照明装置の光が乳白色の後板を介することで、オープンショーケース前方に位置する利用客の目に直接照射されないように保護することができる。
【００１５】
本発明の請求項１０に記載のオープンショーケースは、請求項１乃至９のいずれかに記載のオープンショーケースであって、整流板の下端を後上方に折り返して折返片を形成し、該折返片に、前板の上部を前下方に反転屈曲して形成された係止溝を、着脱自在に掛止したことを特徴としている。
この特徴によれば、整流板の係止部に向けてホルダの係止溝を掛止するだけで、容易かつ迅速に取り付け作業を行えるとともに、ホルダ不要時には、整流板の折返片よりホルダを簡単に取り外すことができる。また、折返片を整流板の後方位置としたことで、ホルダの取り付け位置を外部から遮蔽でき見栄えが良好なものとなる。
【００１６】
本発明の請求項１１に記載のオープンショーケースは、請求項１０に記載のオープンショーケースであって、係止溝を折返片に掛止した状態において、挟持部から上方の前板の上部前面が折返片と面接触するようにしたことを特徴としている。
この特徴によれば、係止溝を掛止した際に、折返片に沿って前板の上部が面接触しているので、冷気の流れに基づくホルダの揺れが確実に抑えられる。
【００１７】
本発明の請求項１２に記載のオープンショーケースは、請求項１乃至１１のいずれかに記載のオープンショーケースであって、ホルダを整流板の下部に装着した状態において、整流板と前板との前面が略面一となるようにしたことを特徴としている。
この特徴によれば、整流板と前板との前面が略面一であるので、吹出口からの冷気を下方の吸込口の方向に向けて安定してガイドでき、内箱の前面に形成されるエアーカーテンの整流作用を良好に維持できる。
【００１８】
本発明の請求項１３に記載のオープンショーケースは、請求項１乃至１２のいずれかに記載のオープンショーケースであって、後板の挟持部側の前面を微細な凹凸面としたことを特徴としている。
この特徴によれば、微細な凹凸面により挟持部内に保持される表示板等のズレを確実に防止することができる。
【発明を実施するための最良の形態】
【００１９】
本発明の実施例を以下に説明する。
【実施例１】
【００２０】
図１は、本発明の第１の実施例におけるホルダを備えたオープンショーケースの全体像を示す斜視図であり、図２は、オープンショーケースを示す側断面図であり、図３は、ホルダを示す一部破断斜視図であり、図４（ａ）は、ホルダの取り付けを示す側断面図であり、図４（ｂ）は、表示板をホルダに取り付ける側断面図であり、図５は、吹出口からの冷気の流れを示す側断面図である。
【００２１】
図１に示されるオープンショーケースは、主に商店やスーパーマーケットやコンビニエンスストア等の食品等を取り扱う販売店舗に設置され、商品を低温に保ったまま保冷、または冷凍した状態で陳列するために設置される冷蔵ショーケース１であり、正面側を開口した内箱３により囲まれた冷蔵室８には、商品を陳列する陳列棚７が上下方向に複数設置され、下部に設けられた底板１１にも商品（図示省略）を陳列可能になっている。以下、本実施例の説明において、この冷蔵ショーケース１を対面した状態で見て、手前側を前方とし、奥行き側を後方とし、左手側を左方、右手側を右方として説明する。
【００２２】
内箱３の上部には、左右の長手方向に向けてホルダ１８が下方に突設するように延設されている。このホルダ１８内には、商品のプライスカードや販売促進用のＰＯＰカード等の表示板１５が左右の長さ方向に沿って各々収納され、各種陳列された商品の値段や宣伝、商品特性等が利用客に向けて表示されている。また、従来公知のように各陳列棚７の前端には各陳列棚７の商品を案内するプライスカードやＰＯＰカード等が取り付けられている。
【００２３】
図２に示されるように、冷蔵ショーケース１には、正面側が開口された内箱３と同じく正面側が開口され、内箱３を囲繞するように設けられた外箱２とからなり、外箱２は発砲ウレタン樹脂材等からなる断熱部材と、この断熱部材の表裏面を覆うスチール金属等の表面板と、から構成されている。外箱２と内箱３との間には通風路４が形成され、この通風路４内には、冷却装置５と送風機６を備えている。
【００２４】
冷蔵ショーケース１の下部には、通風路４内に空気を取り込む吸込口９が形成され、冷蔵ショーケース１の上部には、冷却装置５にて冷却された冷気の吹出口１０が形成されている。そこで送風機６の可動によって、冷却装置５によって冷却された冷気が吹出口１０から吸込口９に向けて吹き出され、ショーケース１の前方に内箱３の開口を閉塞する冷気のエアーカーテン１２が形成されるとともに、このエアーカーテン１２の冷気の一部が冷蔵室８内に供給されることで温度を低温に保つことができ、冷蔵室８内の陳列棚７や底板１１に載置される商品（図示省略）を冷蔵（冷凍）した状態で陳列できるようになっている。
【００２５】
吹出口１０と冷蔵室８の天井前方との間には、下方に向けて整流板１７が略鉛直方向に延設されており、吹出口１０から吹き出されるエアーカーテン１２の整流を助成している。整流板１７の下端には、ホルダ１８が下方に向けて延設されている。整流板１７の後方には、冷蔵室８内を照明する蛍光ランプ等の照明装置１４が配設されている。同様に各陳列棚７の前端部下面には、直下の陳列棚７および底板１１に陳列される商品を照明する蛍光ランプ等の照明装置１３が設けられている。
【００２６】
図３に示されるように、ホルダ１８には成形が容易かつ軽量な透明性を有するプラスチック樹脂材が用いられており、本実施例においては、プラスチック樹脂材の中でも、特に断熱効果に優れ、耐衝撃性、耐熱および耐寒性にも優れたポリカーボネート樹脂が用いられている。また、プラスチック樹脂材としてアクリル樹脂等の透明材を用いても良いことは言うまでもない。
【００２７】
ホルダ１８の形状については、左右の長さ方向に向けて延設され、上下方向に立設するように垂直面を有する前板１９と、この前板から後方に向けて折り返されるように形成された後板２０とによって上方を開口した側面視略Ｕ字状の挟持部２１が形成されている。そして、この挟持部２１から延びる前板１９の上部には、後上方に向けて屈曲された傾斜部１９ａと、この傾斜部１９ａの上部を前下方に反転屈曲して形成した係合部２２とによって前下方が開口した側面視略下向きＵ字状の係止溝２２ａが形成されている。後板２０の上端部には後上方に向けて表示板１５挿入のためのガイド片２０ａが屈曲形成されており、前板１９との間隔が側面視Ｖ字状に拡開されている。
【００２８】
ホルダ１８に表示板１５を入れたときに表示板１５を見やすくするために、少なくとも挟持部２１の前板１９側は透明色となったものを使用するが、後板２０側については特に材質の限定はない。しかし、後板２０に透光性を有するものを使用すれば、ホルダ１８に表示板１５を入れないで使用する場合に上段の棚商品がホルダ１８を介しても見ることができ、また、半透明の乳白色のものを使用すれば、整流板後方の照明装置の光が乳白色の後板を介することで、オープンショーケース前方に位置する利用客の目に直接照射されないように保護することもできる。
【００２９】
図４（ａ）に示されるように、整流板１７は左右の長さ方向に向けて延設され、下方に向けて延在される整流部１７ｃと、整流部１７ｃの下端を後上方に折り返して形成された折返片１７ａと、整流部１７ｃの上端を後方に向けて折り返した取付部１７ｂとで構成されている。取付部１７ｂの上面は特に図示しない内箱３の天井にネジや接着材で固着されており、下面には固定部１６を介して照明装置１４が固定されている。
【００３０】
整流板１７の下端にホルダ１８を取り付けるには、ホルダ１８の傾斜部１９ａを折返片１７ａに前下方に向けて沿わせるように、係止溝２２ａを折返片１７ａの先端部に向けて嵌め込むだけで、係止溝２２ａが折返片１７ａを挟持するように掛止される。このように、折返片１７ａに向けて係止溝２２ａを掛止するだけで、容易かつ迅速に取り付け作業を行えるとともに、ホルダ１８の取り外し作業も簡便に行える。しかも、折返片１７ａを整流部１７ｃの後方位置としたことで、ホルダ１８の取り付け位置を外部から遮蔽でき見栄えも良好なものとなる。
【００３１】
そして、図４（ｂ）に示されるように、折返片１７ａにホルダ１８を掛止した状態においては、傾斜部１９ａが折返片１７ａに対して面接触されるので、ホルダ１８の揺れが確実に抑えられる。このとき整流部１７ｃと前板１９との前面が略面一となるようにすることが好ましい。次いで、挟持部２１に表示板１５を取り付けるには、ガイド片２０ａに沿って表示板１５を挟持部２１の内部に向けて挿し込むことで後板２０を後方に向けて押し広げ、挟持部２１の深部にまで表示板１５を円滑に挿し入れて収納することができる。
【００３２】
図５に示されるように、整流板１７と挟持部２１の前板１９の前面を略面一としたことで、ホルダ１８を整流板１７から下方に延びる整流板の延長部として構成でき、この略鉛直方向に延びる整流板１７およびホルダ１８によって、吹出口１０と冷蔵室８とが仕切られていることから、通風路４から吹出口１０を介して吹き込まれる冷気１２が常に無駄なく下方に向けて安定してガイドされ、内箱３の前面に形成されるエアーカーテンの整流作用を良好に維持できる（図２参照）。しかも、ホルダ１８の傾斜部１９ａと折返片１７ａとの面接合により、吹出口１０からの冷気の影響によるホルダ１８の揺れが確実に抑えられている。
【００３３】
そして、前板１９の整流作用を行う上下方向の長さは、整流板１７にホルダ１８を係止したときに最上段の陳列棚７の商品が見づらくならず、且つ冷蔵室８の上部空間に圧迫感を与えない程度が好ましい。従って今まで使用していた整流板１７より短くしホルダ１８で整流作用を補っても良いし、今まで使用していた整流板１７に継ぎ足して整流作用を向上させることもできる。
【００３４】
さらに、ホルダ１８の挟持部２１が前板１９と後板２０との一体で形成されているので、整流板１７の吹出口１０側と、その反対側の冷蔵室８との温度差による結露の発生が生じにくい構成となっており、特に挟持部２１に表示板１５が取り付けられた際には、透明材である前板１９の透光度が結露によって阻害されることなく、前板１９の前方からの表示板１５の視認性が良好に保たれている。
【００３５】
また、ホルダ１８に用いられたポリカーボネート樹脂は、プラスチック樹脂材の中でも特に断熱効果に優れており熱伝導率が低く抑えられているので、結露の発生をより確実に抑えることができる。また、耐衝撃性、耐熱および耐寒性に優れているので、ホルダ１８を長期に渡り使用可能である。
【００３６】
上記第１の実施例では、整流板１７の下端を利用してホルダ１８を設け、このホルダ１８に表示板１５を取り付けたので、各陳列棚の前部に設けたプライスレールに加えて、冷蔵室８の全体の内容を利用客に示すことができる。後板２０を半透明な乳白色とした場合は、ホルダ１８の位置を目立たない程度に視認できるので、表示板１５を挟持部２１に取り付ける操作が容易に行える。
【実施例２】
【００３７】
次に、本発明の第２の実施例を図６に基づいて説明する。図６は、整流板に取り付けられたホルダを示す側断面図である。尚、以下の第２の実施例において前述の第１の実施例と同様の構造部分に関しては、同一の符号を付すことにより詳細な説明は省略することにする。
【００３８】
図６に示されるように、ホルダ２８の前板１９から折り返された後板３０の挟持部２９側には、細かな複数の突起を設けた微細な凹凸面３０ａが形成され、挟持部２９に表示板１５を収納した際に、表示板１５の後面が複数の突起で保持されるので、表示板１５のズレを確実に防止することができる。また、凹凸面３０ａを後板３０にのみ設けたことで、前板１９を介した表示板１５の視認性を一切阻害することはない。
【実施例３】
【００３９】
次に、本発明の第３の実施例を、図７乃至図９に基づいて説明する。
この第３の実施例のホルダ３１は、上記第１の実施例と同様、上部に傾斜部１９ａと係合部２２を有する透明な前板１９における傾斜部１９ａの下端部附近に、半透明な乳白色等の弾性変形可能な後板３２を、前板１９の後方において垂下するとともに、前板１９の後面との間に形成される挟持部３３の隙間が、下方に向かって漸次拡開するようにして、一体的に連設したものである。
【００４０】
後板３２の厚さは、下方に向かって漸次小とされ、かつ上下寸法は、前板１９よりも若干短寸としてある。後板３２の下端部には、後下方を向く折曲部３２ａが形成され、前板１９の下端部との間の隙間がさらに拡開するようになっている。
後板３２の上端部は、ほぼ垂直に垂下し、前板１９における上端部との間に、上下方向を向く所要長さの挟持部３４が形成されている。
【００４１】
前板１９の下端には、その下端部を後上方に折り返すことにより、上向折曲部３５が形成され、この上向折曲部３５と前板１９との間に形成された凹溝３６内において、上向折曲部３５の上端部前縁には、上記後板３２における折曲部３２ａの下端が弾性係合するようになっている。なお、凹溝３６の下端と挟持部３４の上端間の上下寸法は、表示板１５が余裕をもって挿入し得るように、その上下寸法よりも大としてある。
【００４２】
表示板１５をホルダ３１に取付けるには、まず図７に示すように、表示板１５を、ホルダ３１の下方より、前板１９と後板３２との間の挟持部３３間に挿入し、上端部に形成した上下方向を向く挟持部３４の上端まで挟入する。
【００４３】
次いで、図８に示すように、表示板１５の下端部を凹溝３６に落とし込んで受支する。この際、表示板１５の上端部は挟持部３４内に位置しているので、ホルダ３１から表示板１５が脱落することはない。従って、図８の状態のままでも使用することが可能であるが、図９に示すように、後板３２を前方に撓ませて、その折曲部３２ａの下端を、前板１９における上向折曲部３５の上端部前縁に弾性係合させることにより、表示板１５は、前板１９と後板３２とにより前後から挟持されるので、ホルダ３１にがたなく安定して保持される。
【００４４】
第３の実施例のホルダ３１を使用すると、その挟持部３３に表示板１５を下方から簡単に挿入して取付けることができる。
なお、この第３の実施例では、挟持部３３が下方に向かって漸次拡開するように、後板３２を斜め後下方に垂下させているが、垂下させる角度は、後板３２の下端が、前板１９の上向折曲部３５の後面と近接もしくは若干離間する程度としてもよい。また、後板３２を垂直状に垂下させてもよく、この際には、前板１９の下端に上向折曲部３５を設ける代わりに、後板３２の下端に、前上方を向く上向折曲部を設けるようにしてもよい。
【００４５】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、折返片１７ａにホルダ１８、２８、３１の係止溝２２ａを掛止することで容易かつ迅速に各ホルダの着脱作業を行えることから好ましいが、本発明はこれに限定されるものではなく、折返片１７ａおよび係止溝２２ａを設けることなく、整流板の下端に各ホルダをボルト等で着脱自在に連結固定するようにしてもよい。
【００４６】
また、上記実施例では、後板２０、３０、３２を半透明の乳白色としたことで、容易にホルダ１８、２８、３１の位置を視認して表示板１５の取り付け操作を容易に行えることから好ましいが、本発明はこれに限定されるものではなく、例えばショーケース全体や冷蔵室内に陳列される商品群や表示板の色を考慮して、後板に半透明の他の色素を用いるようにしてもよく、この場合にも各ホルダの位置を視認し易く、整流板１７後方の照明装置の光を利用客の目に直接照射されない構成であればなお良い。
【図面の簡単な説明】
【００４７】
【図１】本発明の第１の実施例におけるホルダを備えたオープンショーケースの全体像を示す斜視図である。
【図２】オープンショーケースを示す側断面図である。
【図３】ホルダを示す一部破断斜視図である。
【図４】（ａ）は、ホルダの取り付けを示す側断面図であり、（ｂ）は、表示板をホルダに取り付ける側断面図である。
【図５】吹出口からの冷気の流れを示す側断面図である。
【図６】本発明の第２の実施例における整流板に取り付けられたホルダを示す側断面図である。
【図７】本発明の第３の実施例における整流板に取り付けられたホルダを示す側断面図である。
【図８】同じく、挟持部に表示板を挿入した状態におけるホルダの側断面図である。
【図９】同じく、後板を前方に撓ませて前板の上向折曲部に弾性係合した状態におけるホルダの側断面図である。
【符号の説明】
【００４８】
１                冷蔵ショーケース（オープンショーケース）
２                外箱
３                内箱
４                通風路
５                冷却装置
６                送風機
７                商品の陳列棚
８                冷蔵室
９                吸込口
１０              吹出口
１１              底板
１２              冷気
１３              各陳列棚用の照明装置
１４              冷蔵室内照明用の照明装置
１５              プライスカードやＰＯＰカード等の表示板
１６              照明装置の固定部
１７              整流板
１７ａ            折返片
１７ｂ            取付部
１７ｃ            整流部
１８              ホルダ（実施例１）
１９              前板
１９ａ            傾斜部
２０              後板
２０ａ            ガイド片
２１              挟持部
２２              係合部
２２ａ            係止溝
２８              ホルダ（実施例２）
２９              挟持部
３０              後板
３０ａ            凹凸面
３１              ホルダ(実施例３)
３２              後板
３２ａ            折曲部
３３              挟持部
３４              挟持部
３５              上向折曲部
３６              凹溝
【図１】
2007268254.tif 000003
【図２】
2007268254.tif 000004
【図３】
2007268254.tif 000005
【図４】
2007268254.tif 000006
【図５】
2007268254.tif 000007
【図６】
2007268254.tif 000008
【図７】
2007268254.tif 000009
【図８】
2007268254.tif 000010
【図９】
2007268254.tif 000011